(57)【要約】      （修正有）【課題】患者体表面への湿布の装着状態を確実に維持することができ、湿布が装着された部位へのサポータ機能を与えることができ、使用部位に対する汎用性も高めることのできるサポータ付き湿布およびその包装体を提供する。【解決手段】湿布１０およびサポータ２０からなる。湿布１０は、本体シート１１と、その一面側１１ａに一体化された湿布薬層１２と、湿布薬層１２を被覆する第１剥離シート１３を有する。サポータ２０は、細長く伸びるテープ本体２１と、その一面側に一体化された粘着層２２と、粘着層２２を被覆する第２剥離シート２３を有する。サポータ２０、第２剥離シート２３が部分的に存在しない特定部位を有して、特定部位において露出する粘着層２２によって本体シート１１の他面側１１ｂにあらかじめ一体化されている。【選択図】図２
0003203159.tif 000002
【実用新案登録請求の範囲】
【請求項１】
患者体表面に装着される湿布およびサポータからなり、
前記湿布は、本体シートと、該本体シートの一面側に一体化された湿布薬層と、該湿布薬層を被覆する第１剥離シートと、を有し、
前記サポータは、細長く伸びるテープ本体と、該テープ本体の一面側に一体化された粘着層と、該粘着層を被覆する第２剥離シートと、を有し、
前記サポータは、前記第２剥離シートが部分的に存在しない特定部位を有して、該特定部位において露出する前記粘着層によって前記本体シートの他面側にあらかじめ一体化されている、
ことを特徴とするサポータ付き湿布。
【請求項２】
請求項１において、
前記本体シートの他面側に、前記サポータが複数一体化されている、ことを特徴とするサポータ付き湿布。
【請求項３】
請求項２において、
前記複数のサポータが、互いに平行にかつ間隔をあけて、前記本体シートの他面側に一体化されている、ことを特徴とするサポータ付き湿布。
【請求項４】
請求項３において、
前記本体シートが方形とされ、
前記サポータが、２つとされて、前記本体シートの１辺の方向における一端部側と他端部側とに位置するように設けられている、
ことを特徴とするサポータ付き湿布。
【請求項５】
請求項２において、
前記複数のサポータが、互いにクロスするようにして、前記本体シートの他面側に一体化されている、ことを特徴とするサポータ付き湿布。
【請求項６】
請求項５において、
前記本体シートが方形とされ、
前記サポータが、２つとされて、前記本体シートの対角線上にある２つの角部同士を結ぶように位置されている、
ことを特徴とするサポータ付き湿布。
【請求項７】
請求項１ないし請求項６のいずれか１項において、
前記複数のサポータはそれぞれ、その各端部が前記本体シートの外方へ伸びるようにされている、ことを特徴とするサポータ付き湿布。
【請求項８】
請求項１ないし請求項６のいずれか１項において、
前記複数のサポータはそれぞれ、その一端部のみが前記本体シートの外方へ伸びるようにされている、ことを特徴とするサポータ付き湿布。
【請求項９】
請求項１ないし請求項８のいずかに記載のサポータ付き湿布が、前記サポータが前記本体シートの他面側に折りたたまれて薄く積層された状態でもって、包装袋内に密閉状態で収納されている、ことを特徴とするサポータ付き湿布の包装体。
【考案の詳細な説明】
【技術分野】
【０００１】
本考案は、サポータ付き湿布およびその包装体に関するものである。
【背景技術】
【０００２】
打撲やねんざ等の治療のために患者体表面面に装着される湿布においては、取り扱いが容易なように、本体シートの一面側に湿布薬層を一体化して、この湿布薬層を剥離シートによって被覆したものが多い。使用に際しては、剥離シートを剥がして湿布薬層を露出させて、この湿布薬層が患者体表面に接触するようにして患者に装着される。
【０００３】
患者体表面に装着された湿布は、湿布薬層の粘着性を利用して装着状態を維持するだけなので、患者体表面から外れやすいものとなる。このため、別途サポータのような湿布を覆う部材を別途患者に装着するものが提案されている。特許文献１には、テーピング用テープに別途芯体を装着してコルセットの機能を持たせるようにしたもの、およびこのテーピング用テープと湿布とをセットにして提供するものが開示されている。
【先行技術文献】
【特許文献】
【０００４】
【特許文献１】特開２００９−２９１３１１号公報
【考案の概要】
【考案が解決しようとする課題】
【０００５】
ところで、湿布が使用される部位としては、膝関節や腕関節のような間接部位が多いが、この間接部位を補強するサポータを合わせて使用することが、治療に効果的である。このため、湿布を間接部位に装着した後に、別途サポータでもって間接部位を覆うことが行われているが、最終的にサポータ装着までに多大の手間を要することになる。また、湿布の使用部位によっては、手持ちのサポータが使用できず、新たにサポータを購入しなければならない、という事態も生じやすいものである。
【０００６】
本考案は以上のような事情を勘案してなされたもので、その目的は、患者体表面への湿布の装着状態を確実に維持することができ、湿布が装着された部位へのサポータ機能を与えることができ、しかも使用部位に対する汎用性も高めることのできるようにしたサポータ付き湿布およびその包装体を提供することにある。
【課題を解決するための手段】
【０００７】
前記目的を達成するため、本考案におけるサポータ付き湿布にあっては次のような解決手法を採択してある。すなわち、請求項１に記載のように、
患者体表面に装着される湿布およびサポータからなり、
前記湿布は、本体シートと、該本体シートの一面側に一体化された湿布薬層と、該湿布薬層を被覆する第１剥離シートと、を有し、
前記サポータは、細長く伸びるテープ本体と、該テープ本体の一面側に一体化された粘着層と、該粘着層を被覆する第２剥離シートと、を有し、
前記サポータは、前記第２剥離シートが部分的に存在しない特定部位を有して、該特定部位において露出する前記粘着層によって前記本体シートの他面側にあらかじめ一体化されている、
ようにしてある。
【０００８】
上記解決手法によれば、サポータは、その特定部位において露出された粘着層を有効に利用して、湿布に対してあらかじめ一体化しておくことができる。使用に際しては、第１剥離シートを剥がして湿布をあらかじめ患部に貼り付けた後、第２剥離シートを剥がしてサポータによって患部を補強するように患者体表面に適宜貼り付ければ、サポータ機能を合わせて得ることができる。また、湿布が患者体表面に貼り付けられている状態が、サポータによって確実に維持されることになる。さらに、サポータはテープ状なので、患部の形状の相違等に柔軟に対応することができる。
【０００９】
上記解決手法を前提とした好ましい態様は、請求項２以下に記載のとおりである。すなわち、
前記本体シートの他面側に、前記サポータが複数一体化されている、ようにしてある（請求項２対応）。この場合、サポータを複数設けておくことにより、湿布を患者体表面に貼り付けておく機能およびサポータ機能をより十分に発揮させることができる。
【００１０】
前記複数のサポータが、互いに平行にかつ間隔をあけて、前記本体シートの他面側に一体化されている、ようにしてある（請求項３対応）。この場合、関節部位に使用したときに、２つのサポータでもって肘関節や膝関節などの関節部位を挟むような位置関係でもってサポータ機能を得る上で好ましいものとなる。
【００１１】
前記本体シートが方形とされ、
前記サポータが、２つとされて、前記本体シートの１辺の方向における一端部側と他端部側とに位置するように設けられている、ようにしてある（請求項４対応）。この場合、請求項３に対応した効果を十分に得つつ、湿布の両端部を確実に患者体表面に貼り付けておく上で好ましいものとなる。
【００１２】
前記複数のサポータが、互いにクロスするようにして、前記本体シートの他面側に一体化されている、ようにしてある（請求項５対応）。この場合、湿布の中央部分を患者体表面に確実に貼り付けておく上で、また関節部位に使用したときは、この関節部位をクロス状態の２つのサポータでもって直接的にサポートする上で好ましいものとなる。
【００１３】
前記本体シートが方形とされ、
前記サポータが、２つとされて、前記本体シートの対角線上にある２つの角部同士を結ぶように位置されている、ようにしてある（請求項６対応）。この場合、請求項６に対応した効果を十分に発揮させる上で好ましいものとなる。
【００１４】
前記複数のサポータはそれぞれ、その各端部が前記本体シートの外方へ伸びるようにされている、ようにしてある（請求項７対応）。この場合、サポータを、湿布の両側方向から患部に巻回するようにして使用する上で好ましいものとなる。
【００１５】
前記複数のサポータはそれぞれ、その一端部のみが前記本体シートの外方へ伸びるようにされている、ようにしてある（請求項８対応）。この場合、サポータを、湿布の片側方向から患部に巻回するようにして使用する上で好ましいものとなる。
【００１６】
前記目的を達成するため、本考案におけるサポータ付き湿布の包装体にあっては次のような解決手法を採択してある。すなわち、請求項９に記載のように、
請求項１ないし請求項８のいずかに記載のサポータ付き湿布が、前記サポータが前記本体シートの他面側に折りたたまれて薄く積層された状態でもって、包装袋内に密閉状態で収納されている、ようにしてある。本解決手法によれば、全体として薄い状態で、サポータ付き湿布を密閉状態で包装袋に収納したものを提供することができ、特に取り扱いの容易化等の上で好ましいものとなる。
【考案の効果】
【００１７】
本考案によれば、患者体表面への湿布の装着状態を確実に維持することができ、湿布が装着された部位へのサポータ機能を与えることができ、しかも使用部位に対する汎用性も高めることが。
【図面の簡単な説明】
【００１８】
【図１】本考案の第１の実施形態を示す平面図。
【図２】図１のＸ２−Ｘ２線相当断面図。
【図３】図２の状態から湿布を除去した状態を示す断面図。
【図４】本考案の第２の実施形態を示す平面図。
【図５】本考案の第３の実施形態を示す側面平面図。
【図６】サポータ付き湿布を包装袋で包装してなる包装体の一例を示す側面断面図。
【考案を実施するための形態】
【００１９】
図１において、サポータ付き湿布ＳＳ１は、湿布１０とサポータ２０とにより構成されている。図２に示すように、湿布１０は、本体シート１１と、本体シート１１の一面側１１ａに積層一体化された湿布薬層１２と、湿布薬層１２を被覆する第１剥離シート１３と、を有する。本体シート１１は、例えば不織布によって形成されて柔軟性を有しており、方形（実施形態では長方形）とされている。湿布薬層１２は、湿布薬を層状にしたもので、患者体表面への貼り付けや本体シート１への一体化のために粘着性を有している。第１剥離シート１３は、例えば透明なフィルムによって形成されて、湿布薬層１２を全面的に覆っていて、手指により容易に湿布薬層１２から剥がすことができるようになっている。このような湿布１０は、従来既知の適宜のものを採択することができる。なお、湿布１０の大きさは、例えば８ｃｍ×１２ｃｍ、１０ｃｍ×１５ｃｍ等、患部に応じて適宜選択できる。
【００２０】
サポータ２０は、細長いテープ状とされている。図２、図３に示すように、サポータ２０は、細長く伸びるテープ本体２１と、テープ本体２１の一面側に一体化された粘着層２２と、粘着層２２を被覆する第２剥離シート２３と、を有する。テープ本体２１は、サポータとして要求される引張強度を有している。テープ本体２１の幅は、数ｃｍ程度とされている（例えば２ｃｍ〜４ｃｍ程度で、使用部位によって幅を変更可能）。また、本体シート２１の長さは、患部（使用部位）としての関節部位の周回り長さよりも若干長くなるようにされている（例えば肘関節の場合は３０〜４０ｃｍで、関節部位の相違に応じて長さ変更可能）。
【００２１】
テープ本体２１の一面側には、粘着層２２が積層一体化されている。粘着層２２は、患者体表面に粘着させるものとなっている。粘着層２２は、テープ本体２１の全長に渡って設けられている。そして、粘着層２２は、第２剥離シート２３によって被覆されている。第２剥離シート２３は、第１剥離シート１３と同様に、例えば透明なフィルムによって形成されて、手指によって容易に剥がすことができるようになっている。
【００２２】
上記第２剥離シートは、湿布１０と重なる特定部位（図３において符号αで示す）においては、存在しないものとされる。すなわち、図２、図３から明かなように、サポータ２０は、第２剥離シート２３を有しない部分の粘着層２２でもって、湿布１０（の本体シート１１の他面側１１ｂ）に粘着によって一体化されている。
【００２３】
なお、サポータ２０は、粘着層と剥離シートとを有する従来既知のサポータ機能を発揮できるテーピング用テープを用いて、上記特定部位αに相当する部位に存在する剥離シートを除去したものとして構成することができる。また、本体シート２１は、伸縮性を有するものを用いるのが好ましいが、強固なサポータ機能を得るために（患部の固定機能を強めるために）伸縮性を有しないようにしてもよい。さらに、図２、図３および後述する図６では、存在の明確化のために、各部分の厚さを実際の厚さよりも大きく描いてある。
【００２４】
図１の実施形態では、サポータ２０が２つ用いられて、それぞれ、その長手方向中間部でもって湿布１０の他面側１１ｂに一体化されている（粘着層２２を利用した一体化）。２つのサポータ２０は、互いに間隔をあけて平行に湿布１０に対して一体化されている。より具体的には、２つのサポータ２０は、長方形とされた湿布１０の長辺方向の一端部側と他端部側とにおいて湿布１０に一体化されている。そして、各サポータ２０は、その長手方向各端部が、湿布１０から外方へと長く伸びるようになっている。
【００２５】
図１に示すようなサポータ付き湿布の患部への使用に際しては、次のようにして行われるが、肘関節に使用する場合を例にして説明する。まず、湿布１０における第１剥離シート１３を除去して、湿布１０（の湿布薬層１２）を患部に貼り付ける。この後、サポータ２０における第２剥離シート２３を除去して、サポータ２０を肘関節の周囲を取り巻くように巻回する。この場合、２つのサポータ２０は、肘関節を前後から挟むような位置関係でもって巻回される。
【００２６】
サポータ２０の巻回に際しては、サポータ２０に適宜の引張力を付与しつつ、その粘着層２２が患者体表面に十分に接触するようにして行われる。そして、各サポータ２０は、最終的にその両端部同士が重なるようにした状態で装着しておくのが、サポータ２０の患者体表面からの剥がれ防止や、サポータ２０によるサポート機能を十分に確保する上で好ましいものとなる。サポータ２０はテープ状であるので、患者の体格の相違等にも十分に対応でき、また患部の外表面形状に柔軟に対応して巻回することができる。
【００２７】
なお、サポータ付き湿布ＳＳ１は、使用前においては、粘着性を有する湿布薬層１３や粘着層２３が剥離シート１２あるいは２２によって被覆されているので、取り扱いも容易である。サポータ付き湿布ＳＳ１の使用部位としては、肘関節の他、膝関節や足首関節等の各種の関節部位にも適用でき、また腰や背中等の大きな表面積を有する部分にも適用できる。
【００２８】
図４は、本考案の第２の実施形態を示し、図１に対応したものとなっている。本実施形態におけるサポータ付き湿布ＳＳ２では、１つの湿布１０に対して、２つのサポータ２０を用いるのは図１の場合と同様である。ただし、２つのサポータ２０は、互いにクロスするような位置関係でもって湿布１０に一体化されている。より具体的には、サポータ２０は、方形とされた湿布１０の略中心部を通って、その対角線上を通るように（対角同士を結ぶように）配設される。そして、各サポータ２０は、その長手方向略中間部でもって湿布１０に一体化されて、その各端部が湿布１０から外方へと長く伸びている。本実施形態の場合、湿布１０の中心部付近を特に強く圧着する場合に好適となる（例えば関節部位に使用したときは、関節部位そのものを圧着するような使用に好適）。
【００２９】
図５は、本考案の第３の実施形態を示すものである。本実施形態におけるサポータ付き湿布ＳＳ３では、図１の場合と同様に、１つの湿布１０に対して、２つのサポータ２０を互いに平行にかつ間隔をあけて設けてある。ただし、本実施形態では、各サポータ２０は、その長手方向一端部側において湿布１０に一体化されて、他端部側のみが湿布１０の外方へと伸びた形態とされている。
【００３０】
図６は、図１に示すようなサポータ付き湿布ＳＳ３（ＳＳ１、ＳＳ２においても同じ）を、包装袋３０内に収納した包装体Ｈが示される。すなわち、サポータ付き湿布ＳＳ１は、そのサポータ２０が、湿布１０における本体シート１１の他面側１１ｂ上において重なるように折りたたまれていて（薄い積層状態）、湿布１０の外方側へは突出しないようにされている。このように、湿布１０上にサポータ２０が薄く積層された状態でもって、気密性を有する包装袋３０内に密封状態でもって包装される。サポータ付き湿布ＳＳ１は、患部への装着直前に、包装袋３０から取り出して使用される。
【００３１】
以上実施形態について説明したが、本考案は実施形態に限定されるものではなく、例えば次のような場合をも含むものである。湿布１０の大きさや形状は、使用部位（患部部位）に応じて適宜変更できる。サポータ２０は、１つの湿布１０に対して、１つのみ設けてもよく、３以上設けてもよい。サポータ２０は、平行タイプとクロスタイプとを併用したものとすることもできる（例えば図１と図４に示すサポータ２０を併用）。本考案によるサポータ付き湿布ＳＳ１〜ＳＳ３（包装体Ｈ）は、薬局等での市販品とすることもできるが、病院等の治療現場において提供するのが好適である（湿布しつつサポータ機能を得るのは、治療初期時において強く望まれるため）。
【産業上の利用可能性】
【００３２】
本考案は、湿布機能とサポータ機能とを容易に得ることができる。
【符号の説明】
【００３３】
ＳＳ１：サポータ付き湿布（図１）
ＳＳ２：サポータ付き湿布（図４）
ＳＳ３：サポータ付き湿布（図５）
Ｈ：包装体
α：特定部位
１０：湿布
１１：本体シート
１１ａ：一面側
１１ｂ：他面側
１２：湿布薬層
１３：第１剥離シート
２０：サポータ
２１：テープ本体
２２：粘着層
２３：第２剥離シート
３０：包装袋
【図１】
0003203159.tif 000003
【図２】
0003203159.tif 000004
【図３】
0003203159.tif 000005
【図４】
0003203159.tif 000006
【図５】
0003203159.tif 000007
【図６】
0003203159.tif 000008
【手続補正書】
【提出日】平成28年1月5日(2016.1.5)
【手続補正１】
【補正対象書類名】実用新案登録請求の範囲
【補正対象項目名】全文
【補正方法】変更
【補正の内容】
【実用新案登録請求の範囲】
【請求項１】
患者体表面に装着される湿布およびサポータからなり、
前記湿布は、本体シートと、該本体シートの一面側に一体化された湿布薬層と、該湿布薬層を被覆する第１剥離シートと、を有し、
前記サポータは、細長く伸びるテープ本体と、該テープ本体の一面側に一体化された粘着層と、該粘着層を被覆する第２剥離シートと、を有し、
前記サポータは、前記第２剥離シートが部分的に存在しない特定部位を有して、該特定部位において露出する前記粘着層によって前記本体シートの他面側にあらかじめ一体化されている、
ことを特徴とするサポータ付き湿布。
【請求項２】
請求項１において、
前記本体シートの他面側に、前記サポータが複数一体化されている、ことを特徴とするサポータ付き湿布。
【請求項３】
請求項２において、
前記複数のサポータが、互いに平行にかつ間隔をあけて、前記本体シートの他面側に一体化されている、ことを特徴とするサポータ付き湿布。
【請求項４】
請求項３において、
前記本体シートが方形とされ、
前記サポータが、２つとされて、前記本体シートの１辺の方向における一端部側と他端部側とに位置するように設けられている、
ことを特徴とするサポータ付き湿布。
【請求項５】
請求項２において、
前記複数のサポータが、互いにクロスするようにして、前記本体シートの他面側に一体化されている、ことを特徴とするサポータ付き湿布。
【請求項６】
請求項５において、
前記本体シートが方形とされ、
前記サポータが、２つとされて、前記本体シートの対角線上にある２つの角部同士を結ぶように位置されている、
ことを特徴とするサポータ付き湿布。
【請求項７】
請求項２ないし請求項６のいずれか１項において、
前記複数のサポータはそれぞれ、その各端部が前記本体シートの外方へ伸びるようにされている、ことを特徴とするサポータ付き湿布。
【請求項８】
請求項２ないし請求項６のいずれか１項において、
前記複数のサポータはそれぞれ、その一端部のみが前記本体シートの外方へ伸びるようにされている、ことを特徴とするサポータ付き湿布。
【請求項９】
請求項１ないし請求項８のいずかに記載のサポータ付き湿布が、前記サポータが前記本体シートの他面側に折りたたまれて薄く積層された状態でもって、包装袋内に密閉状態で収納されている、ことを特徴とするサポータ付き湿布の包装体。